(57)【要約】      （修正有）【課題】簡便にナイロンコードの延出長さを復活させられる草刈り機用回転刃の提供。【解決手段】ケース体２００は、ホルダ１００に対して取付け軸１４の軸線Ｌ周りに相対回転不能かつ取付け軸１４の軸方向に相対移動可能に組合わされ、常時下方に向けて弾力付勢されたケース第１部材２１０とそのケース第１部材２１０に対して上下方向相対移動不能かつ取付け軸１４の軸線Ｌ周りに相対回転可能に組合わされたケース第２部材２３０は、基端側が巻き付けられ、先端側がケース第１部材２１０の側壁からケース体２００の半径方向外方に向けて延出させられるコード状切断部材４０を保持しており、ホルダ１００は、上向きに突出し、取付け軸１４を中心として環状に並ぶ複数の第１係合凸部１３０を有し、ケース第２部材２３０は、下向きに突出し、取付け軸を中心として環状に並ぶとともに第１係合凸部１３０に係合可能な複数の第２係合凸部２６０を有している。【選択図】図４
2020178675.tif 000002
【特許請求の範囲】
【請求項１】
草刈り機の取付け軸に固定され、当該取付け軸と一体回転するホルダと、ケース体と、を備え、
上記ケース体は、上記ホルダに対して上記取付け軸の軸線周りに相対回転不能かつ上記取付け軸の軸方向に相対移動可能に組合わされ、常時下方に向けて弾力付勢されたケース第１部材および当該ケース第１部材に対して上下方向相対移動不能かつ上記取付け軸の軸線周りに相対回転可能に組合わされたケース第２部材を有し、
上記ケース第部２部材は、基端側が巻き付けられ、先端側が上記ケース第１部材の側壁から上記ケース体の半径方向外方に向けて延出させられるコード状切断部材を保持しており、
上記ホルダは、上向きに突出し、上記取付け軸を中心として環状に並ぶ複数の第１係合凸部を有し、
上記ケース第２部材は、下向きに突出し、上記取付け軸を中心として環状に並ぶとともに上記第１係合凸部に係合可能な複数の第２係合凸部を有していることを特徴とする、草刈り機用回転刃。
【請求項２】
上記ホルダは、外周にスプライン溝が形成された下向き筒部を有し、上記ケース第１部材は、上記下向き筒部のスプライン溝に係合するスプライン溝が内周に形成された上向き筒部を有することにより、上記ケース第１部材が上記ホルダに対して相対回転不能かつ上記取付け軸の軸方向に相対移動可能である、請求項１に記載の草刈り機用回転刃。
【請求項３】
上記ケース第１部材の上記上向き筒部の外周に套挿した圧縮コイルバネの下端を上記上向き筒部の外面に形成した段部に弾接させ、上端を上記ホルダに弾接させることにより、上記ホルダに対して上記ケース第１部材を下方に向けて弾力付勢している、請求項２に記載の草刈り機用回転刃。
【請求項４】
上記ケース第２部材は、上記ケース第１部材の内部に位置するリール部を有し、上記コード状切断刃は、その基端側が上記リール部に巻き付けられ、先端側が上記ケース第１部材の側壁に形成した繰り出し孔から上記ケース体の外部に延出させられている、請求項２または３に記載の草刈り機用回転刃。
【請求項５】
上記ケース第１部材は、上記取付け軸の軸線を中心として当該ケース第１部材に対して相対回転可能なガイド部材が付属させられている、請求項１ないし４に記載の草刈り機用回転刃。
【請求項６】
上記ガイド部材は、略円板状を呈しており、その外径は、上記ケース体の外径より大である、請求項５に記載の草刈り機用回転刃。
【請求項７】
上記ガイド部材の外径は、上記ケース体の外径の１．５倍以上である、請求項６に記載の草刈り機用回転刃。
【請求項８】
上記コード状切断刃は、上記ケース体の半径方向に延びるとき、上記ガイド部材の外周縁からさらに所定長さ半径方向外方に延出させられる、請求項６または７に記載の草刈り機用回転刃。
【請求項９】
回転刃を取付けるための取り付け軸を有し、当該取付け軸に対して請求項１ないし８のいずれかに記載の草刈り機用回転刃が取付けられていることを特徴とする、草刈り機。
【発明の詳細な説明】
【技術分野】
【０００１】
本発明は、草刈り機用回転刃およびこれを用いた草刈り機に関する。
【背景技術】
【０００２】
携帯式動力草刈り機は一般に、操作管の先端に回転刃を取付け、操作管の基端側に接続したエンジンの回転動力を操作管に通挿した伝動軸を介して回転刃に伝えるように構成されている（たとえば、特許文献１の図１参照）。作業者は、操作管に付設した操作ハンドルを握持しつつ操作管を左右に振回し、回転刃を地面に沿って左右に移動させて草刈り作業を行う。
【０００３】
このような草刈り機に用いる回転刃としては、特許文献１に見られるようなナイロンコード式のものなど、作業性を向上させるための一定の改善が行われている。
【０００４】
特許文献１に示されたナイロンコード式回転刃は、保持部材の内部に巻き取り保持されたナイロンコードの先端側を半径方向外方に延出させ、このナイロンコードを高速旋回させることにより所定の草刈り作業を行うように構成されている。このナイロンコード式回転刃はまた、使用の継続によりナイロンコードの延出長さが摩耗により短くなった場合、回転刃に設けた操作部に対して一定の操作を行うことより保持部材に巻き取られたナイロンコードを一定長さずつ繰り出し、ナイロンコードの延出長さを復活させることができるようになっている。
【０００５】
しかしながら、上記特許文献１に示されたナイロンコード式回転刃は、ナイロンコードの延出長さを復活させるための操作部が回転刃自体に設けられているため、草刈り作業を一時中断して操作部に対する操作をする必要がある。そのため、このナイロンコード式回転刃は、草刈り作業の効率を低下させるし、ナイロンコードの延出長さを復活させる操作も面倒であり、必ずしも使い勝手がよいとはいえなかった。
【先行技術文献】
【特許文献】
【０００６】
【特許文献１】ＷＯ２０１３／０５４８８０号公報
【発明の概要】
【発明が解決しようとする課題】
【０００７】
本発明は、上記した事情のもとで考え出されたものであって、より簡便にナイロンコードの延出長さを復活させることができる草刈り機用回転刃を提供することをその課題とする。
【課題を解決するための手段】
【０００８】
上記課題を解決するため、本発明では、次の技術的手段を採用した。
【０００９】
すなわち、本発明の第１の側面により提供される草刈り機用回転刃は、草刈り機の取付け軸に固定され、当該取付け軸と一体回転するホルダと、ケース体と、を備え、上記ケース体は、上記ホルダに対して上記取付け軸の軸線周りに相対回転不能かつ上記取付け軸の軸方向に相対移動可能に組合わされ、常時下方に向けて弾力付勢されたケース第１部材および当該ケース第１部材に対して上下方向相対移動不能かつ上記取付け軸の軸線周りに相対回転可能に組合わされたケース第２部材を有し、上記ケース第部２部材は、基端側が巻き付けられ、先端側が上記ケース第１部材の側壁から上記ケース体の半径方向外方に向けて延出させられるコード状切断部材を保持しており、上記ホルダは、上向きに突出し、上記取付け軸を中心として環状に並ぶ複数の第１係合凸部を有し、上記ケース第２部材は、下向きに突出し、上記取付け軸を中心として環状に並ぶとともに上記第１係合凸部に係合可能な複数の第２係合凸部を有していることを特徴とする。
【００１０】
好ましい実施の形態では、上記ホルダは、外周にスプライン溝が形成された下向き筒部を有し、上記ケース第１部材は、上記下向き筒部のスプライン溝に係合するスプライン溝が内周に形成された上向き筒部を有することにより、上記ケース第１部材が上記ホルダに対して相対回転不能かつ上記取付け軸の軸方向に相対移動可能である。
【００１１】
好ましい実施の形態では、上記ケース第１部材の上記上向き筒部の外周に套挿した圧縮コイルバネの下端を上記上向き筒部の外面に形成した段部に弾接させ、上端を上記ホルダに弾接させることにより、上記ホルダに対して上記ケース第１部材を下方に向けて弾力付勢している。
【００１２】
好ましい実施の形態では、上記ケース第１部材の内部に位置するリール部を有し、上記コード状切断刃は、その基端側が上記リール部に巻き付けられ、先端側が上記ケース第１部材の側壁に形成した繰り出し孔から上記ケース体の外部に延出させられている。
【００１３】
好ましい実施の形態では、上記取付け軸の軸線を中心として当該ケース第１部材に対して相対回転可能なガイド部材が付属させられている。
【００１４】
好ましい実施の形態では、上記ガイド部材は、略円板状を呈しており、その外径は、上記ケース体の外径より大である。
【００１５】
好ましい実施の形態では、上記ガイド部材の外径は、上記ケース体の外径の１．５倍以上である。
【００１６】
好ましい実施の形態では、上記コード状切断刃は、上記ケース体の半径方向に延びるとき、上記ガイド部材の外周縁からさらに所定長さ半径方向外方に延出させられる。
【００１７】
本発明の第２の側面により提供される草刈り機は、回転刃を取付けるための取り付け軸を有し、当該取付け軸に対して上記半発明の第１の側面に係る草刈り機用回転刃が取付けられていることを特徴とする。
【発明の効果】
【００１８】
ケース第１部材はホルダに対して相対回転不能であるから、取付け軸の回転により一体回転させられる。また、ケース第１部材は常時下方に向けて弾力付勢されていることにより、当該ケース第１部材に対して上下方向相対移動不能に連携させられているケース第２部材の下向き第２係合凸部はホルダの上向き第１係合凸部に係合させられる。したがって、ケース第２部材もまたケース第１部材と供回りさせられる。これにより、回転刃全体が取付け軸の回転とともに高速回転し、これにともないコード状切断部材が高速旋回することにより、雑草に対する切断作用が行われる。
【００１９】
草刈作業を継続するうちに、コード状切断部材の先端が摩耗し、そのケース体からの延出長さが短くなり、コード状切断部材の延出長さを復活させる必要がでてくる。この場合、回転刃の回転を止め、回転刃を例えば地面に押し付けるようにする。そうすると、ケース第２部材は弾性付勢力に抗してホルダに対して上方に向け相対移動する。これに伴いケース第２部材も上動し、ケース第２部材の第２係合凸部とホルダの第１係合凸部との係合が解かれ、ケース第２部材はケース第１部材に対して相対回転可能な状態となる。このとき、ケース第２部材には、これに巻き付けられたコード状切断部材の解け力が作用するので、これによりケース第２部材はケース第１部材に対して若干回転し、上記第１係合凸部の頂部に上記第２係合凸部の頂部が載った状態となる。
【００２０】
この状態から取付け軸を回転させ、回転刃全体を回転させると、遠心力によりコード状切断部材の先端側を半径方向外方に引っ張る力が作用し、ケース第２部材がコード状切断部材を繰り出す方向に回転する。一定程度ケース第２部材が回転すると、下向き弾性付勢力により、上記第１係合凸部と上記第２係合凸部とが再び係合し、ケース第１部材とケース第２部材とが相対回転不能となる。その結果、コード状切断部材の先端側は、第１係合凸部または第２係合凸部の環状配置ピッチ間隔に相当する長さ、半径方向に延出させられることになる。
【００２１】
このように、上記構成の草刈り機用回転刃は、コード状切断部材の延出長さを復活させる必要が生じた場合、いったん回転刃の回転を止め、回転刃を適当な圧力で例えば地面に押し付け、再び回転刃を回転させるだけで、回転刃自体やコード状切断部材に対する何らの操作も必要とすることなく、きわめて簡便にコード状切断部材の延出長さを復活させることができる。
【００２２】
本発明のその他の特徴および利点は、図面を参照して以下に行う詳細な説明から、より明らかとなろう。
【図面の簡単な説明】
【００２３】
【図１】本発明の一実施形態に係る回転刃を備えた草刈り機の一例の全体斜視図である。
【図２】本発明の一実施形態に係る回転刃の断面図である。
【図３】図２のIII-III線に沿う断面図である。
【図４】作用を説明するための図であり、図２に示す断面に相当する図である。
【図５】本発明の一実施形態に係る回転刃の作用説明図であり、図２のV-V線断面に相当する図である。
【図６】本発明の一実施形態に係る回転刃の作用説明図であり、図２のV-V線断面に相当する図である。
【図７】本発明の一実施形態に係る回転刃の作用説明図であり、図２のV-V線断面に相当する図である。
【図８】本発明の第２実施形態に係る回転刃の断面図である。
【発明を実施するための形態】
【００２４】
以下、本発明の好ましい実施の形態につき、図面を参照して具体的に説明する。
【００２５】
図１〜図４は、本発明の第１実施形態に係る草刈り機用回転刃Ａ１およびこれが用いられた草刈り機Ｂの一実施形態を示している。図１によく表れているように、草刈り機Ｂにおいては、操作管１２の基端側には、駆動源としての小型エンジン１１が連結されており、その回転出力が、操作管１２に内挿された伝動軸１３を介して操作管１２の先端部に伝達される構成となっている。小型エンジン１１としては、作業者の携帯性を考慮して、たとえば排気量が２５ｃｃ程度のものが用いられる。操作管１２の基端には小型エンジン１１が直接的に取り付けられる場合もあるし、フレシキブルな伝動軸を介してたとえば背負い枠に搭載されるエンジンが連結される場合もある。図２によく表れているように、操作管１２の先端部のギヤケース１６には、取付け軸１４が支持され、この回転刃取付け軸１４と伝動軸１３とは、ベベルギヤ機構（図示略）によって連携されている。回転刃取付け軸１４には、その外周にスプラインが形成されているとともに、軸端には、軸方向に延びるねじ穴１４ａが形成されている。回転刃取付け軸１４には、金属製の回転刃押さえ１７がスプライン嵌合させられている。
【００２６】
草刈り機Ｂの取付け軸１４には、本発明によって特徴づけられる回転刃Ａ１が取付けられる。
【００２７】
この回転刃Ａ１は、取付け軸１４に取付けられて当該取付け軸１４と一体回転させられる保持部材１０と、この保持部材１０に対して、取付け軸１４の軸線Ｌ周りに相対回転可能に支持されたガイド部材５００と、を備える。保持部材１０は、本実施形態では、ホルダ１００と、コード状切断部材４０の基端側を巻き付け保持し、先端側を半径方向外方に延出させるケース体２００とを備えて構成されている。
【００２８】
ホルダ１００は、好ましくは金属製であり、外周フランジ部１２０と下向き筒部１１０とを有する回転体形状を有する。ホルダ１００は、その中心孔１０２に下から通したボルト１０３を取付け１４軸のねじ穴１４ａにねじ込むことにより、取付け軸１４に固定される。この状態においては、ホルダ１００の上面が回転刃押さえ１７に押し付けられている。下向き筒部１１０の外周には、スプライン溝１１１が形成され、外周フランジ部１２０の上面には環状に等間隔で並ぶ複数の第１係合凸部１３０が形成されている。この第１係合凸１３０部については後にさらに詳説する。
【００２９】
ケース体２００は、ケース第１部材２１０とケース第２部材２３０とが組み合わされて構成されており、これらは例えば合成樹脂製である。
【００３０】
ケース第１部材２１０は、上向き筒部２１１と、この上向き筒部２１１の下端を塞ぐ隔壁部２１３と、当該隔壁部２１３の外周から下垂する筒胴部２１４と、当該筒胴部２１４の下端から半径方向外方に延びるドーナツ状底壁部２１５と、当該底壁部２１５の外周から上方に向け立ち上がる側壁部２１６とを有する回転体形状を有する。上向き筒部２１１の内周には、ホルダ１００の下向き筒部１１０のスプライン溝１１１と係合するスプライン溝２１７が形成されている。これにより、ケース第１部材２１０はホルダ１００に対し、相対回転不能かつ、取付け軸１４の軸線Ｌ方向に相対移動可能となる。隔壁部２１２には、後記するガイド部材５００を支持するための構成を設けるためのボス部２１８が形成されている。隔壁部２１２の外周であって、上向き筒部２１１の下端部にはばね受け段部２１９が形成されている。筒胴部２１４、底壁部２１５および側壁部２１６は、協働して、上に開放する環状溝空間Ｓを形成している。ケース第１部材２１０は、上向き筒部２１１の外周に套挿した圧縮コイルばね３００の上端をホルダ１００の下面に弾接させ、下端を上記ばね受け段部２１９に弾接させることにより、常時下方に向けて弾力付勢されている。側壁部２１６には、コード繰り出し孔２２０が半径方向に対向して２か所形成されており、この繰り出し孔２００には、耐摩耗性に優れたカラー２２１が嵌め込まれている。
【００３１】
ケース第２部材２３０は、外部に露出する上部カバー部２４０と、ケース第１部材２１０の環状溝空間Ｓ内に位置するリール部２５０とを有する回転体形状を有する。カバー部２４０は、ホルダ１００の上部膨出部１０１に外嵌される孔２４１を内周に有する内向フランジ部２４２と、内向フランジ部２４２の外周からラウンドしつつ下垂する外周スカート部２４３とを有する。
【００３２】
外周スカート部２４３には、周方向に離間して複数個所に、弾性爪２４４ａと下向き支持壁２４４ｂとで形成される外向き凹状係合部２４４が形成されており、この凹状係合部２４４にケース第１部材２１０の側壁部２１６の上端に形成した内向フランジ２１６ａを若干の遊びをもって係合させることにより、ケース第１部材２１０とケース第２部材２３０とは、上下方向に相対移動不能であるが、取付け軸１４の軸線Ｌ周りに相対回転可能となっている。
【００３３】
ケース第２部材２３０のカバー部２４０の内向フランジ部２４２の下面には、下向きに突出し、取付け軸１４を中心として環状に等間隔で並ぶとともにホルダ１００の第１係合凸部１３０に係合可能な複数の第２係合凸部２６０が形成されている。この第２係合凸部２６０については後に詳説する。
【００３４】
リール部２５０は、カバー部２４０の内面から下垂する連結壁２５５を介して当該カバー部２４０と一体化させられており、連結壁２５５から半径方向内方に延びる上部水平壁２５１と、当該上部水平壁２５１の内周からケース第１部材２１０の筒胴部２１４の外周に沿って下垂する巻き胴部２５２と、当該巻き胴部２５２の下端からケース第１部材２１０の底壁部２１５に沿って半径方向外方に延びる下部水平壁２５３とを有する回転体形状である。このリール部２５０には、ナイロンコード等のコード状切断部材４０の基端側が巻き付け保持され、先端側がコード繰り出し孔２２０からケース体２００の外部に繰り出される。具体的には、コード状切断部材４０は、たとえば３ｍ〜５ｍ程度、直径３ｍｍ程度の長尺状のものが使用され、例えばリール部２５０の上部水平壁２５１に開けた２つの貫通穴２５１ａに通して中間部をこの上部水平壁２５１に保持し、２本となったコード状切断部材４０を巻き胴部２５２に巻き付けていき、２つの先端部４０ａを上記した２か所のコード繰り出し孔２２０から外部に引き出すことにより、ケース体２００に保持される。なお、コード状切断部材４０のリール部２５０における巻き付け方向は、回転刃Ａ１の回転方向に依存して決定され、回転刃Ａ１の回転方向と逆方向とされる。草刈り機Ｂの取付け軸１４は通常、反時計回り（左回転）であるので、回転刃Ａ１も左回転をする。その場合、コード状切断部材４０の巻き付け方向は、時計周り（右回り）方向とする（図３）。
【００３５】
本実施形態では、ケース第２部材２３０を構成するカバー部２４０とリール部２５０とは、成形の都合上、別体形成したうえで、例えばバヨネット式の連結手段２４５等の適当な手段により一体化される。
【００３６】
なお、ケース第１部材２１０とケース第２部材２３０とは、弾性爪２４４ａと下向き支持壁２４４ｂとで形成される外向き凹状係合部２４４にケース第１部材２１０の側壁部２１６の上端に形成した内向フランジ２１６ａを若干の遊びをもって係合させることにより連携しているが、これは、弾性爪２４４ａを押し込んで内向フランジ２１６ａとの係合を解くことにより、容易にケース第１部材２１０とケース第２部材２３０とを分離することができるようにするためである。これにより、コード状切断部材４０を交換するうえで都合がよい。またケース第１部材２１０に対してケース第２部材２３０を組み合わせるには、ケース第１部材２１０とケース第２部材２３０とを同心状に位置させ、相互に近接方向に押しこむだけでよい。これにより、弾性爪２４４ａが内向フランジ２１６ａを弾性的に乗り越えてこの内向フランジ２１６ａに自動係合する。
【００３７】
図５は、ホルダ１００の第１係合凸部１３０とケース第２部材２３０（カバー部２４０）の第２係合凸部２６０との関係を示す、図２のＶ−Ｖ線に沿う断面図である。同図に矢印Ｎで方向を示す取付け軸１４ないしホルダ１００からの回転力は、ホルダ１００の第１係合凸部１３０からケース第２部材２３０の第２係合凸部２６０に伝えられる。駆動側の第１係合凸部１３０は、回転方向前面１３１と、回転方向後面１３２と、水平平坦な頂面１３３とを有する断面傾斜台形状をしている。すなわち、回転方向前面１３１と回転方向後面１３２は、いずれも、上方に向かうほど回転方向前方に傾斜している。
【００３８】
一方、従動側の第２係合凸部２６０もまた、回転方向前面２６１と、回転方向後面２６２と、水平平坦な頂面２６３とを有する断面傾斜台形状をしているが、傾斜方向は第１係合凸部１３０とは逆に、回転方向前面２６１と回転方向後面２６２はいずれも、下方に向かうほど回転方向後方に傾斜している。
【００３９】
第１係合凸部１３０と第２係合凸部２６０の形成ピッチは、取付け軸１４を中心とした円の周方向について同じであり、通常時、図５に示すように、第１係合凸部１３０と第２係合凸部２６０とは、上記した圧縮コイルばね３００の弾力を受けて相互に係合しており、ホルダ１００の回転力がケース第２部材２３０に伝達される。また、ケース第１部材２１０はホルダ１００と一体回転することからも、この状態ではケース体２００全体が取付け軸１４からの回転力を受けて左回りに高速回転する。
【００４０】
ガイド部材５００は、ケース第２部材２３０に対し、取付け軸１４の軸線Ｌを中心として相対回転可能に付属させられる。本実施形態ではこれを、ケース第１部材２１０の隔壁部２１２に設けたボス部２１８に内嵌させたナット部材２１８ａに下方からボルト５０１をねじ込んで支軸５１０を形成し、ガイド部材５００の中心ボス部５２０と上記支軸５１０との間にベアリング５３０を介装することにより構成している。すなわち、ベアリング５３０の外輪５３１がガイド部材５００の後記する中心ボス部５２０の内面に嵌合され、内輪５３２が上記支軸５１０の外面に嵌合されている。
【００４１】
ガイド部材５００は、中心ボス部５２０付近を金属製とするとともに、その余の部分を樹脂製とした外形が円形である略円板状をしている。本実施形態では、このガイド部材５００は、ケース体２００の下方に位置する水平な内方部５４０に対し、外方部５５０を段上げさせて、当該外方部５５０の上面とコード状切断部材４０との間隔を所定以下にしている。このガイド部材５００の外径は、ケース２００体の外径よりも大としてあり、好ましくは、ガイド部材５００の外径は、ケース体２００の外径の１．５倍以上とする。
【００４２】
このガイド部材５００は、ケース第１部材２１０に対して相対回転可能であるので、ケース体２００からの回転力は基本的に伝達されない。したがって、このガイド体５００が例えば地面に接する等して外物に接触した状態では、ケース体２００が高速回転していても、当該ガイド部材５００は静止状態が維持される。
【００４３】
コード状切断部材４０の先端側は、ケース体２００の半径方向外方に延びるとき、ガイド部材の外周縁からさらに所定長さ、たとえば、３〜６ｃｍ程度延出させられる。
【００４４】
次に、上記構成の草刈り機用回転刃Ａ１の作用について説明する。
【００４５】
上記したように、通常状態では、ケース第１部材２１０は圧縮コイルばね３００の弾力を受けて下方に向けて付勢されているから、ホルダ１００に対して移動行程の下端に位置する。移動行程の下端は、ケース第２部材２３０（カバー部２４０）の第２係合凸部２６０とホルダ１００の第１係合凸部１３０とが係合することにより規定される（図２、図５）。すなわち、この通常状態では、ケース体２００はホルダ１００と一体回転する。小型エンジン１１の回転数をあげていくと、エンジンの内部クラッチがつなげられて回転力が取付け軸１４に伝わり、保持部材１０全体が高速回転をする。ただし、上記したように回転力はある程度の質量を有するガイド部材５００には伝わらないので、ケース体２００は短時間で所定の高速回転数に達する。これにともないコード状切断部材４０も高速旋回し、これが大きな運動エネルギをもって雑草等に衝突して切断作用を行う。このとき、ガイド部材５００の外周縁により雑草等が回転刃Ａ１の半径方向内方に向けて進入するのを阻止する。そのため、雑草等は、コード状切断部材４０の先端部分４０ａ、すなわち周速が大きい部分で切断されるので、切断効率が非常によい。また、ケース体２００を高速回転させながら、ガイド部材５００を外物に接触させることができるので、ガイド部材５００を地面に当ててすべらせながら草刈り作業を行うことができる。したがって、雑草等をその根元付近からきれいに、かつ効率的に刈り取ることができる。
【００４６】
草刈り作業を継続するうちに、コード状切断部材４０の先端が摩耗し、ケース体２００あるいはガイド部材５００の周縁からの延出長さが短くなる。この草刈り機用回転刃Ａ１によれば、次のようにしてコード状切断部材４０の延出長さを容易に復活させることができる。
【００４７】
エンジン１１をアイドリング状態に戻すと、内部クラッチが動力伝達を休止し、取付け軸１４ないしケース体２００の回転が止まる。
【００４８】
この状態において、草刈り機Ｂの操作管１２を下に向けて押すなどすりことにより、回転刃Ａ１全体を所定の圧力で地面に押し付ける。そうすると、図４に示すように、ケース第２部材２３０がホルダ１００に対して圧縮コイルばね３００の弾力に抗して上動する。これにより、ホルダ１００の第１係合凸１３０部に対するケース第２部材２３０（カバー部２４０）の第２係合凸部２６０の係合が解除され（図６）、ケース第２部材２３０はケース第１部材２１０に対して相対回転可能な状態となる。
【００４９】
リール部２５０と一体的なケース第２部材２３０は、リール部２５０に巻き付けられたコード状切断部材４０の解け力により、ケース第１部材２１０に対して、若干、回転刃Ａ１の回転方向（左回り）と逆方向（右回り）に回転し、図６に示すように、ケース第２部材２３０の第２係合凸部２６０の頂面２６３がホルダ１００の第１係合凸部１３０の頂面１３３に載った状態が現出する。
【００５０】
次いで、エンジンの回転数を上げてケース第１部材２１０を回転させると、遠心力によりコード状切断部材４０の先端部に回転刃Ａ１の半径方向外方に引っ張る力が作用し、これにより、ケース第２部材２３０はケース第１部材２１０に対して相対的に右回りに回転し、やがて、圧縮コイルばね３００の作用を受けて、ケース第１部材２１０とケース第２部材２３０が下動して第２係合凸部２６０がそれまで係合していた第１係合凸部１３０の隣りの第１係合凸部１３０に係合し（図７）、その後ケース第２部材２３０はケース第１部材２１０と一体回転するようになる。
【００５１】
以上の作用により、ケース第２部材２３０はリール部２５０とともに、第１係合凸部１３０および第２係合凸部２６０の形成ピッチに相当する角度、ケース第１部材２１０に対してコード状切断部材４０を繰り出す方向に回転することになる。これにより、コード状切断部材４０の延出長さは、第１係合凸部１３０および第２係合凸部２６０の形成ピッチに相当する長さ延長される。
【００５２】
結局、上記構成の草刈り機用回転刃Ａ１は、回転を止めた回転刃Ａ１の全体をいったん地面に押し付けた後、押し付け力を解除して再び回転させるだけで、コード状切断部材４０の延出長さを復活させることができる。
【００５３】
さらに、上記構成の回転刃Ａ１においては、ガイド部材５００は、草刈機Ｂ１の取付け軸１４に保持部材１０を取付けるためのボルト１０３とは別異のボルト５０１を用いて保持部材１０に対して相対回転可能に支持されているので、保持部材１０を取付け軸１４に取付けた状態のまま、ガイド部材５００を保持部材１０から取り外すことができる。
【００５４】
図８は、本発明の第２実施形態に係る作業機用回転刃Ａ２およびこれが用いられた作業機の一例としての草刈り機Ｂ２の一実施形態を示しており、第１実施形態に係る作業機用回転刃Ａ１を示す図２に相当する図である。
【００５５】
この回転刃Ａ２は、上記した第１実施形態に係る回転刃Ａ１に対し、ケース第１部材２１０に対するガイド部材５００の取付け構造が異なり、その余の構成は第１実施形態に係る回転刃Ａ１と基本的に同様である。図８においては、第１実施形態に係る回転刃Ａ１および草刈り機Ｂ１と同様の部材または部分には同一の符号を付して、詳細な説明を適宜省略する。
【００５６】
この回転刃Ａ２もまた、取付け軸１４に取付けられて当該取付け軸１４と一体回転させられる保持部材１０と、この保持部材１０に対して、取付け軸１４の軸線Ｌ周りに相対回転可能に支持されたガイド部材５００と、を備える。
【００５７】
第１実施形態に係る回転刃Ａ１では、ガイド部材５００は、ケース第１部材２１０に対して固定的に取付けたボルト５０１とガイド部材５００の中心ボス部５２０との間にベアリング５３０を介装することによりケース第１部材２１０に対して相対回転可能に支持されていたが、第２実施形態に係る回転刃Ａ２では、ケース第１部材２１０の筒胴部２１４の内面にベアリング５３０を介して支持軸体５１０を回転可能に支持し、当該支持軸体５１０に対してガイド部材５００を固定的に取付けている。以下、これを説明する。
【００５８】
図８に表れているように、ケース第１部材２１０の筒胴部２１４の内面には金属製の補強部材２１４ａを介してベアリング５３０の外輪５３１が嵌合保持されており、当該ベアリング５３０の内輪５３２には、支持軸体５１０が内嵌されている。支持軸体５１０は、保持部材１０の回転軸線Ｌ上に位置する。これにより、支持軸体５１０はケース第１部材２１０に対して相対回転可能となる。支持軸体５１０は、本実施形態ではヘッド部５１１を有するナット部材５１２により構成されている。このような支持軸体５１０の配置構造をとる本実施形態では、第１実施形態にけるケース第１部材２１０に形成されていた隔壁部２１２は省略されている。ガイド部材５００は、その中心ボス部５２０に下から通したボルト５１３を上記ナット部材５１２にねじ込むことにより当該ナット部材５１２（支持軸体５１０）に支持されている。その結果、ガイド部材５００は、ケース第１部材２１０、すなわち保持部材１０に対して、当該保持部材１０の回転軸線Ｌを中心として相対回転可能に支持される。
【００５９】
次に、上記構成の作業機用回転刃Ａ２の作用について説明する。
【００６０】
この回転刃Ａ２においても回転刃としての基本的な雑草等の切断作用、および、コード状切断部材４０の延出長さの復活作用については、第１実施形態に係る回転刃Ａ１について上述したのと同様の作用を奏する。
【００６１】
本実施形態に係る回転刃Ａ２についても、ガイド部材５００は、草刈機Ｂ１の取付け軸１４に保持部材１０を取付けるためのボルト１０３とは別異の支持軸体５１０（ナット部材５１２）を用いて保持部材１０に対して相対回転可能に支持されているので、保持部材１０を取付け軸１４に取付けた状態のまま、ガイド部材５００を保持部材１０から取り外すことができる。
【００６２】
加えて、本実施形態に係る回転刃Ａ２においては、ケース第１部材２１０の筒胴部２１４に対してベアリング５３０を介して回転可能に支持した支持軸体５１０（ナット部材５１２）に対し、中心ボス部５２０に下から通したボルト５１３をねじ込むことによりガイド部材５００を支持させるという構成を採用しているので。ボルト５１３を外すだけで、より簡易にガイド部材５００を保持部材１０から取り外すことができる。
【００６３】
もちろん、この発明の範囲は、上記した実施形態に限定されず、各請求項に記載した事項の範囲内でのあらゆる変更は、すべて本発明の範囲に包摂される。
【００６４】
たとえば、実施形態では、ケース第１部材２１０にガイド部材５００が付属しているが、ガイド部材５００を付属させるかどうかは選択事項である。
【００６５】
また、草刈機用回転刃Ａ１を取付ける草刈り機Ｂについても、実施形態のものに限定されず、動力源によって回転させられる取付け軸１４を有するものであれば、どのような形式のものであてもよい。
【符号の説明】
【００６６】
Ａ１、Ａ２：回転刃
Ｂ：草刈り機
Ｓ：環状溝空間
Ｌ：軸線
Ｎ：回転方向
Ｓ：環状溝空間
１０：保持部材
１１：小型エンジン
１２：操作管
１３：伝動軸
１４：取付け軸
１４ａ：ねじ穴
１６：ギヤケース
１７：回転刃押さえ
４０：コード状切断部材
４０ａ：先端部
１００：ホルダ
１０１：膨出部
１０２：中心孔
１０３：ボルト
１１０：下向き筒部
１１１：スプライン溝
１２０：フランジ部
１３０：第１係合凸部
１３１：回転方向前面
１３２：回転方向後面
１３３：頂面
２００：ケース体
２１０：ケース第１部材
２１１：上向き筒部
２１２：隔壁部
２１４：筒胴部
２１５：底壁部
２１６：側壁部
２１６ａ：内向フランジ
２１７：スプライン溝
２１８：ボス部
２１８ａ：ナット部材
２１９：ばね受け段部
２２０：コード繰り出し孔
２２１：カラー
２３０：ケース第２部材
２４０：カバー部
２４１：孔
２４２：内向フランジ部
２４３：外周スカート部
２４４：外向き係合凹部
２４４ａ：弾性爪
２４４ｂ：支持壁
１４５：連結手段
２５０：リール部
２５１：上部水平壁
２５１ａ：貫通穴
２５２：巻き胴部
２５３：下部水平壁
２５５：連結壁
２６０：第２係合凸部
２６１：回転方向前面
２６２：回転方向後面
２６３：頂面
３００：圧縮コイルばね
５００：ガイド部材
５０１：ボルト
５１０：支軸
５１１：ヘッド部
５１２：ナット部材
５１３：ボルト
５２０：中心ボス部
５３０：ベアリング
５３１：外輪
５３２：内輪
５４０：内方部
５５０：外方部
【図１】
2020178675.tif 000003
【図２】
2020178675.tif 000004
【図３】
2020178675.tif 000005
【図４】
2020178675.tif 000006
【図５】
2020178675.tif 000007
【図６】
2020178675.tif 000008
【図７】
2020178675.tif 000009
【図８】
2020178675.tif 000010